(57)【要約】      （修正有）【課題】袋体の布地を活用して出来るだけ簡易な構造とすることのできるウエストサイズの自動調整可能な衣服を提供する。【解決手段】周長変更可能なベルト部１と、このベルト部１に前身頃２ｂと後身頃２ａが結合され、ポケット４が前身頃２ｂと後身頃２ａの間に止着されている。ポケット４の上辺部ｅ０２には下向きの切込ｇ１が形成されている。端部１ａと端部１ｂとの間を帯体９が結合されており、帯体９は上辺部ｅ０２のうち前見頃側のｇ６が縫着されている。ベルト体に引張力が付与されたとき切込ｇ１の間に存在する帯体９が伸縮する。【選択図】図２
0003165126.tif 000002
【実用新案登録請求の範囲】
【請求項１】
周長変更可能なベルト部と、このベルト部に結合された前後身頃と、前後見頃の内側に止着された袋状のポケットとを具備する衣服において、
前記ベルト部は、前身頃側に結合されたベルト部の部分と後身頃側に結合されたベルト部の部分とを有しており、前記ポケットの上辺部には下向きの切込が形成され当該切込みを挟んだ上辺部の前身頃側が前身頃側のベルト部部分に縫着され、前記切込みを挟んだ上辺部の後見頃側が前記後身頃からベルト部沿いに延長された帯体に縫着され、当該帯体は前記下向きの切込側に向けて延長され、前身頃側のベルト部部分に縫着されており、かつ前記帯体の少なくともの前身頃側のベルト部部分に縫着された位置とポケットの上辺部に縫着された位置の間の部分が弾性部材で構成されていることを特徴とするウエストサイズの自動調整可能な衣服。
【請求項２】
前記前身頃側に結合されたベルト部の部分或いは後身頃側に結合されたベルト部の部分の一方に筒状部を持ち、他方の部分に縫着された弾性体が当該筒状部の中で縫着されていることを特徴とする請求項１のウエストサイズの自動調整可能な衣服。
【請求項３】
前記袋状のポケットは、外側布地と内側布地とを合せたものであり、前記内側布地は前記前身頃側に結合されたベルト部の部分に縫着されており、前記外側布地は前記切込を上辺部に有し、前記切込みを挟んだ上辺部の後身頃側が前記帯体に縫着されていることを特徴とする請求項２のウエストサイズの自動調整可能な衣服。
【請求項４】
前記ベルト部の部分の一方に設けられた筒状部の入口を覆い隠すようにベルト通しがベルト部に設けられていることを特徴とする請求項２のウエストサイズの自動調整可能な衣服。
【請求項５】
前記帯体が前身頃側のベルト部部分に縫着されている箇所を覆い隠すようにベルト通しがベルト部に設けられていることを特徴とする請求項２のウエストサイズの自動調整可能な衣服。
【考案の詳細な説明】
【技術分野】
【０００１】
本考案はウエストサイズを調整可能な衣服に関するものである。
【背景技術】
【０００２】
ウエストサイズを調整可能とするために、ウエストのベルト部の位置にゴムを利用して周長変更可能とした衣服がある。このような衣服においては、ウエストを伸縮させるため、伸縮作用しない布製の部分についての外観を見栄え良く処理する工夫がされている。例えば、特許文献１〜４は、タック位置で弾性帯体の伸縮を吸収して、ウエスト周長さの変更を外観に響かないようにするものである。また、特許文献５〜９は前身頃と後身頃の間にあるポケット位置で伸縮を吸収するものである。
【先行技術文献】
【特許文献】
【０００３】
【特許文献１】特許第２５１８８０４号公報
【特許文献２】特許第２５１８８０３号公報
【特許文献３】特許第２５１８８０７号公報
【特許文献４】特許第３０３８１３６号公報
【特許文献５】特許第２５７８０７９号公報
【特許文献６】特許第３７８９６６３号公報
【特許文献７】特許第４４９９２６７号公報
【特許文献８】実開平４−１８６０８号公報
【特許文献９】実登３１２７８１５号公報
【考案の開示】
【考案が解決しようとする課題】
【０００４】
上記特許文献１〜4のタック位置のものよりも、特許文献５〜９のポケット位置の方が、衣服の外観上、タックが伸びきったような変形をしないので好ましい。一方、特許文献５〜９では、袋状のポケットがウエスト周り方向で伸縮する構造とするため、ポケットの上端が一部分だけウエストに固定されておらず、ポケット中央で蛇腹状となっていたり、ポケット開口の反対側の端でウエストから固定されていない構造を採っている。このような構造では、ポケットを構成する袋体がベルト位置からしっかりと支えられないことになる。
【０００５】
本考案は、ポケットの布地を活用した簡易な構造により、着用者が着用するだけで、衣服の美観を損ねることなく、そのウエストサイズを着用者のそれに自動的に適合させることのできる、ウエストサイズの自動調整可能な衣服を提供することを目的としている。
【課題を解決するための手段】
【０００６】
上記の課題を達成するため、本考案に係るウエストサイズの自動調整可能な衣服は、周長変更可能なベルト部と、このベルト部に結合された前後身頃と、前後見頃の内側に止着された袋状のポケットとを具備する衣服において、前記ベルト部は、前身頃側に結合されたベルト部の部分と後身頃側に結合されたベルト部の部分とを有しており、前記ポケットの上辺部には下向きの切込が形成され当該切込みを挟んだ上辺部の前身頃側が前身頃側のベルト部部分に縫着され、前記切込みを挟んだ上辺部の後見頃側が前記後身頃からベルト部沿いに延長された帯体に縫着され、当該帯体は前記下向きの切込側に向けて延長され、前身頃側のベルト部部分に縫着されており、かつ前記帯体の少なくともの前身頃側のベルト部部分に縫着された位置とポケットの上辺部に縫着された位置の間の部分が弾性部材で構成されていることを特徴とする。
【考案の効果】
【０００７】
本考案によれば、ウエスト周りにポケット用袋体が設けられる衣服について、ポケット用袋体の布地に切込を設けてポケットを構成する袋体の左右からウエストで支えられる構造とであるので、ポケットに物を入れたときに物をウエストで吊下げ状に支えることができるという効果がある。
【図面の簡単な説明】
【０００８】
【図１】一実施例であるズボンを側方から見た図である。
【図２】ベルト部の端部周辺を示す斜視図である。
【図３】ポケット用の袋体を示す説明図である。
【図４】ポケット用の袋体の結合構造を示す斜視図である。
【図５】ポケット用の袋体の結合構造を示す斜視図である。
【図６】ベルト通しの取り付け位置を示す図である。
【図７】ウエストの大きい人が本実施例のズボンを着用したときの上記衣服の要部の状態を示す図である。
【考案を実施するための形態】
【０００９】
以下、本考案の実施例について、図面を参照して詳細に説明する。
図１は本考案に係るウエストサイズの自動調整可能な衣服の一実施例であるズボンを側方から見た図を示している。図１において、１は本実施例のズボン１００における環状のベルト部である。２はベルト部１の下縁に上縁を結合され垂れ下がり状となっている布生地であり、この布生地２は後身頃２ａと前身頃２ｂからなっている。３は前身頃２ｂと後身頃２ａとを縫合した脇線である。
【００１０】
前身頃２ｂの上部横の内側には２点破線で示す袋体４が設けられている。袋体４は、ポケットとして用いられる部位であって、符号ａ１で示す上下範囲が開口４ａとなっている。ベルト部１に対応して複数のベルト通し５ａ、５ｂ、５ｃが縫着されている。ベルト通し５ａの位置は、後述する帯体９をベルト部１に縫着する位置の真上である。ベルト通し５ｂは袋体４の後方の側縁部４ｂ２の真上であって、前身頃２ｂと後身頃２ａが縫合される脇線３の延長上である。尚、図中、７は腰上部の後側に位置されたポケットの開口部である。
【００１１】
図２はベルト部１の端部１ａ、１ｂ周辺を示す斜視図で、ズボン１００の内側から見た状態を示している。ベルト部１は長手方向（ウエスト方向）の途中で分離され、それぞれの端部１ａ、１ｂが重合された状態を保持した上でベルト部１の全長を弾性的に伸長変形させることが可能となっている。具体的には、ベルト部１の一方の端部１ａは、他の端部１ｂが侵入する開口ｂ１を有した筒状となっている。
【００１２】
端部１ｂは開口ｂ１から端部１ａ内に挿通されており、端部１ａ内において弾性帯体からなる弾性部材８の一端を接続され、この弾性部材８の他方の端部は端部１ａの筒内の奥の位置で縫い糸ｃ１で結合されている。ベルト部１に引張力が作用したときは、他端１ａが端部１ａの袋状内で移動するように弾性部材８の長さを決めている。尚、弾性部材８の長さは、各サイズに対しては一定としておけば、腰まわりの引張力をどのサイズも一定な製品を提供できる。
【００１３】
また、ベルト部１の端部１ａ、１ｂの裏側に配置された帯体９が、後見頃２ａ側の端部１ａに縫い糸ｃ７により縫着され、後身頃２ａ側からベルト部１沿いに延長されている。そして、帯体９は前身頃２ｂ側の端部１ｂに縫い糸ｃ６により縫着されている。また、上辺部ｅ０２のうち切込ｇ２よりも後身頃側の部分ｇ６が帯体９に縫着されている。帯体９は弾性部材である。
【００１４】
次に袋体４について説明する。図３は袋体４を示す説明図である。
袋体４は外側布地部４ｃと内側布地部４ｄからなっている。外側布地部４ｃは上辺部ｅ０１、側辺部ｅ１１、下辺部ｅ２１及び折り曲げ辺部ｅ３を有しており、内側布地部４ｄは上辺部ｅ０２、側辺部ｅ１２、下辺部ｅ２２及び折り曲げ辺部ｅ３を有している。下辺部ｅ２１、ｅ２２は水平部ｆ１と傾斜部ｆ２からなっている。
【００１５】
下辺部ｅ２１、ｅ２２同士、側辺部ｅ１１、ｅ１２同士も下部ｆ３を縫合され、これにより袋体４の下部は袋状になっている。ｃ２は縫い糸を示している。側辺部ｅ１１、ｅ１２の符号ｆ４で示す上部の範囲は側辺部ｅ１１、ｅ１２それぞれが自由端となっており、また上辺部ｅ０１、ｅ０２のそれぞれも自由端となっている。内側布地部４ｄの上辺部ｅ０２の長さ途中には下方へ向かう切込ｇ１が形成されている。この切込ｇ１の深さｈ１はベルト部１の周長の調整可能範囲に関連するものであり、ウエスト周りの必要とされる調整量（例えば３ｃｍ）により決められる。切込ｇ１の縁部には、大きな引張力が作用しても損傷しないように必要に応じて布材などの補強部材ｇ２を付加する。
【００１６】
このように形成された袋体４では、外側布地部４ｃの内面の側辺部ｅ１１から数ｃｍ程度の巾ｉ１で自由端の範囲ｆ４の全長に渡って前身頃２ｂと同一材料の布生地ｋ１がこれの外面が袋内向きとなるように重合状に縫着される。また内側布地部４ｄの内面も側辺部ｅ１２から少なくとも例えば５ｃｍ以上の巾で自由端の範囲ｆ４の全長に渡って前身頃２ｂと同一材料の布生地ｋ２がこれの外面が袋内向きとなるように縫着される。この例では側辺部ｅ１２と上辺部ｅ０２と切込ｇ１の縁ｇ３と円弧状二点鎖線ｊ１で囲まれた範囲に布生地ｋ２が縫着される。図３中に示されたハッチングは断面を表すものではなくの布生地ｋ１、ｋ２の存在を示している。
【００１７】
図４、図５、図６により、袋体４とベルト部１及び前身頃２ｂ、後身頃２ａとの縫着結合関係を示す。
図４は、図２の状態から縫い糸ｃ６、ｃ７及び、側縁部ｅ１２を後見頃２ａより取り外した状態を示している。帯体９を内側布地部４ｄの上辺部ｅ０２のうち切込ｇ１よりも後見頃側となる部分ｇ６に縫い糸ｃ５で結合されている。帯体９は、縫い糸ｃ５により部分ｇ６に縫い付けられているため、この部分は伸縮しない。従ってその全長が弾性体である必要は無く、縫い付けられた部分ｇ６と端部１ｂに縫い付けられた部分との間が少なくとも弾性体であれば良い。
【００１８】
図５は、図４の状態からさらに、帯体９を取り外して、外側布地部４ｃの周辺の結合状態を説明する図である。ベルト部１の端部１ｂと前身頃２ｂ上に、外側布地部４ｃの上辺部ｅ０１及び内側布地部４ｄの上辺部ｅ０２の切込ｇ１よりも前見頃側の部分ｇ４が、縫い糸ｃ３で結合されている。また、側辺部ｅ１１の自由端の範囲ｆ４は前身頃２ｂの上部の後縁部ｇ５に対して、縫い糸ｃ４により結合されている。
【００１９】
このように袋体４を縫着した結果、外側布地部４ｃはベルト部１の端部１ｂで支持され、また内側布地端部４ｄの上辺部ｅ０２は部分ｇ６を帯体９に縫い糸ｃ８を介して支持され、部分ｇ４は縫い糸ｃ３を介してベルト部１に支持された状態となる。袋体４は、ベルト部１に対して、その両端（部分ｇ６、ｇ４）が支えられているため、袋体４に物を入れると物の重力により袋体４の底が押され切込ｇ１が開く方向に力が作用することがない。
【００２０】
図６は、ベルト通し５ｂ、５ａの取り付け位置を説明する図である。ベルト部１の外側の表面や前身頃２ｂの上部のうち外方となる表面にベルト通し５ｂ、５ａを縫い糸ｃ９、ｃ１０で止着する。一方の縫い糸ｃ９は袋体４の後端縁（側縁部）４ｂ２を後身頃２ａに固定し、また他方の縫い糸ｃ１０は袋体４の前端縁（折り曲げ辺部ｅ３）を前身頃２ｂに固定している。ベルト通し５ｂは、開口ｂ１の真上であり、開口ｂ１が外観上見えないように目隠しをする。また、ベルト通し５ａは、帯体９をベルト部１に縫い付けた縫い糸ｃ６がベルト部１を貫通して縫い付けられているため、縫い目を隠す目的で、縫い糸ｃ６の真上に取り付けられる。
【００２１】
袋体４は以上のようにベルト部１や後身頃２ａ、前身頃２ｂに対して結合されているため、図３示す側辺部ｅ１１、ｅ１２が自由端となっている領域ｆ４が図１に示す開口４ａに連通された状態となる。なお図６に示す状態はベルト部１にウエスト方向の引張力が作用していないときのものであり、したがって切込ｇ１のウエスト方向の開放角度θ１は小さい状態となっている。また図１において前身頃２ｂと一体に結合されている開口４ａの縁ｇ８は後身頃２ａの前端縁ｇ９に近接している。
また切込ｇ１による開口面積はズボン（衣服）１００の内方の空間と袋体４の内方とを連通させるものとなるため、必要最小限の面積するのがよい。
【００２２】
図７はウエストの大きい人が本実施例のズボン１００を着用したときの要部の状態を示している。この状態では、ベルト部１が着用者のウエストによって押し広げられてベルト部１に引張力が作用する。このため、ベルト部１の一方の端部１ａに対し、他方の端部１ｂが離反する力が付与され、これにより帯体９の前端部９ａに前方ｍ１への引張力が付与され、帯体９が弾性変形する。また、前端をベルト部１の端部１ｂに固定された弾性部材８も弾性変形される。
【００２３】
図７ではベルト部１の端部１ｂは図６の状態から距離ｎ１だけ変位している。一方、袋体４の領域ｆ４よりも下側は前方ｍ１への変位を後身頃２ａによって拘束される。したがって袋体４の開口４ａの縁部ｇ８は図１及び図７中に仮想線ｋ３で示すように角度θ２だけ傾斜変位される。
【００２４】
一方、このような開口４ａの縁部ｇ８の傾斜変位はこれまで説明した各部の構成から明らかなように図１中に仮想線ｋ３で示すように袋体４の内側が外観部に現れるようになる。しかし、このように外観部に現れる箇所は袋体４の内側布地部４ｄの外側の表面であって、前身頃２ｂの外側の表面と同一の外側表面を有する布生地ｋ２の部分であり、着用中のズボン１００の外観部の美観が損なわれることはない。
【００２５】
上記実施例ではズボン１００について本考案を実施したが、既述した他の種々の衣服にも実施できる。また上記実施例では、前身頃２ｂ側のベルト部１の端部１ｂを後身頃２ａ側の端部１ａに対し出入りするように弾性変形するものとしたが、これに限定するものではなく、例えばこれとは逆に後側のベルト部１の端部１ａを前側の端部１ｂに対し出入りするようにしてもよい。
【符号の説明】
【００２６】
１００  衣服（ズボン）
１  ベルト部
２ａ  後身頃
２ｂ  前身頃
４  袋体（ポケット用）
４ａ  開口
４ｂ１  側縁部
４ｂ２  側縁部（後端縁）
４ｃ  外側布地部
４ｄ  内側布地部
５ａ  ベルト通し
５ｂ  ベルト通し
８  弾性部材
９  帯体
ｃ９  縫い糸
ｃ１０  縫い糸
ｅ０１  上辺部
ｅ０２  上辺部
ｇ１  切込
ｇ２  補強部材
ｇ３  縁
ｋ２  布生地
【図１】
0003165126.tif 000003
【図２】
0003165126.tif 000004
【図３】
0003165126.tif 000005
【図４】
0003165126.tif 000006
【図５】
0003165126.tif 000007
【図６】
0003165126.tif 000008
【図７】
0003165126.tif 000009